(57)【要約】【課題】より合理的に構成された手摺支柱取付け装置を提供すること。【解決手段】手摺の支柱１００をコンクリート躯体２００に支持する装置であり、支柱を保持するブラケット３００と、コンクリート躯体に設けられたアンカー２１０とを備え、ブラケットをアンカーに固定してなる手摺支柱取付け装置において、ブラケットは、支柱を挿通する支柱挿通孔を形成したブラケット本体と、アンカーを挿通するアンカー挿通孔を形成した膨出部とを備え、コンクリート躯体には、曲面状の受け面４１０を有する台座４００を設けるとともに、ブラケットの下端には、台座の受け面と合致する曲面状の座面５１０を有する下端部材５１０を装着し、支柱は、台座の受け面に対する下端部材の座面の位相をずらすことにより、その傾斜角度が調整される手摺支柱取付け装置である。【選択図】            図２
2005048392.tif 000002
【特許請求の範囲】
【請求項１】
手摺の支柱をコンクリート躯体に支持する装置であり、前記支柱を保持するブラケットと、前記コンクリート躯体に設けられたアンカーとを備え、前記ブラケットを前記アンカーに固定してなる手摺支柱取付け装置において、
前記ブラケットは、前記支柱を挿通する支柱挿通孔を形成したブラケット本体と、前記アンカーを挿通するアンカー挿通孔を形成した膨出部とを備え、
前記コンクリート躯体には、曲面状の受け面を有する台座を設けるとともに、前記ブラケットの下端には、前記台座の受け面と合致する曲面状の座面を有する下端部材を設け、
前記支柱は、前記台座の受け面に対する前記下端部材の座面の位相をずらすことにより、その傾斜角度が調整されること特徴とする手摺支柱取付け装置。
【請求項２】
前記台座の受け面及び前記下端部材の座面には、互いに嵌合し且つ段階的に位相をずらすことが可能な凹凸部を設けたことを特徴とする請求項１記載の手摺支柱取付け装置。
【請求項３】
前記ブラケットは押出し形成された押出し部材であることを特徴とする請求項１記載の手摺支柱取付け装置。
【請求項４】
前記ブラケットは、ブラケット本体及び膨出部が一体形成されていることを特徴とする請求項１記載の手摺支柱取付け装置。
【請求項５】
前記ブラケットに、前記下端部材を装着したことを特徴とする請求項１記載の手摺支柱取付け装置。
【請求項６】
前記ブラケットの下面に雌ねじ部を設ける一方、前記下端部材には雄ねじ部品を挿通する通孔を設け、この通孔から雄ねじ部品を挿通して、前記下端部材を前記ブラケットに螺着したことを特徴とする請求項５記載の手摺支柱取付け装置。
【請求項７】
前記下端部材には、前記膨出部の前記アンカー挿通孔に対応するアンカー挿通孔が設けられていることを特徴とする請求項６記載の手摺支柱取付け装置。
【請求項８】
前記ブラケットと前記下端部材を一体形成したことを特徴とする請求項１記載の手摺支柱取付け装置。
【請求項９】
前記下端部材の下面に、前記台座の受け面と合致する曲面状の座面が設けられていることを特徴とする請求項８記載の手摺支柱取付け装置。
【発明の詳細な説明】
【０００１】
【発明の属する技術分野】
本発明は、集合住宅のバルコニーやベランダ等に設置される手摺の支柱を支持する手摺支柱取付け装置に関する。
【０００２】
【従来の技術】
手摺の支柱をコンクリート躯体に支持する装置としては、手摺を保持するブラケットと、コンクリート躯体に設けられたアンカーとを備え、ブラケットをアンカーに固定するものが広く利用されている。例えば特許文献１及び２には、この種の手摺支柱取付け装置であって、支柱の傾斜角度を調整可能に構成してなるものが記載されている。
【０００３】
【特許文献１】実公昭５９−３６５９２号公報
【特許文献２】特許第２７２４２９５号公報
【０００４】
【発明が解決しようとする課題】
さて、集合住宅のバルコニーやベランダ等に設置される手摺は、強度性、耐久性、製造性、及び意匠性に優れるとともに、その設置作業が容易であることが重要とされ、前述した手摺支柱取付け装置についても、これらの諸点を考慮しつつ更なる構造的工夫が求められている。
【０００５】
例えば、前記特許文献１に記載された手摺りの支柱保持装置の場合は、調整が複雑であり、支柱を支柱取付部に外嵌めする構造であるため、支柱取付部の外周形状を、支柱の内部のビスホール等を逃げた形状にする必要があり、そして、支柱の径に対しある程度形状を小さくする必要があったので、強度的に弱いという問題があった。支柱取付部がスチール製で溶接部があることも、強度的に問題となる。
【０００６】
また、特許文献２に記載された支柱取付装置の場合は、ブラケット本体の開口に開閉自在に装着される蓋体を有し、第１ロックボルト、第２ロックボルトが埋込まれた状態で螺着される技術が用いられているが、再度調整を必要とする際は、支柱を一旦取り外して一連の位置調整作業を再度行わなければならず、極めて効率が悪いという問題があった。このように、手摺の施工現場においては、台座からブラケット及び支柱を取り外すことなく支柱の垂直の寸法誤差を吸収し正しく建付する構成が求められている。
【０００７】
本発明は、かかる事情に鑑みてなされたものであり、その目的は、より合理的に構成された手摺支柱取付け装置を提供することである。
【０００８】
【課題を解決するための手段】
本願第１請求項に記載した発明は、手摺の支柱をコンクリート躯体に支持する装置であり、前記支柱を保持するブラケットと、前記コンクリート躯体に設けられたアンカーとを備え、前記ブラケットを前記アンカーに固定してなる手摺支柱取付け装置において、
前記ブラケットは、前記支柱を挿通する支柱挿通孔を形成したブラケット本体と、前記アンカーを挿通するアンカー挿通孔を形成した膨出部とを備え、
前記コンクリート躯体には、曲面状の受け面を有する台座を設けるとともに、前記ブラケットの下端には、前記台座の受け面と合致する曲面状の座面を有する下端部材を設け、
前記支柱は、前記台座の受け面に対する前記下端部材の座面の位相をずらすことにより、その傾斜角度が調整される構成の手摺支柱取付け装置である。このような構成によると、より合理的に構成された手摺支柱取付け装置が得られる。
【０００９】
すなわち、本発明の手摺支柱取付け装置は、ブラケット本体と膨出部を備えたブラケットを用いるとともに、支柱の傾斜角度を調整可能に構成してなるものである。支柱挿通孔及びアンカー挿通孔にそれぞれ支柱及びアンカーを挿通すれば、支柱の支持強度は十分に確保される。また、外観もスマートである。そして、このようなブラケットを用いて支柱の傾斜角度を調整する場合は、コンクリート躯体に曲面状の受け面を有する台座を設けるとともに、ブラケットの下端に台座の受け面と合致する曲面状の座面を有する下端部材によりなされる。すなわち、コンクリート躯体に対する支柱の傾斜角度は、台座の受け面に対する下端部材の座面の位相をずらすことにより調整される。
【００１０】
本願第２請求項に記載した発明は、請求項１において、前記台座の受け面及び前記下端部材の座面には、互いに嵌合し且つ段階的に位相をずらすことが可能な凹凸部を設けた構成の手摺支柱取付け装置である。
【００１１】
すなわち、受け面及び座面にこのような凹凸部を設けることによれば、支柱は、その傾斜角度を段階的に調整し、一定の角度で確実に静止させることが可能となる。
【００１２】
本願第３請求項に記載した発明は、請求項１において、前記ブラケットは押出し形成された押出し部材である手摺支柱取付け装置である。
【００１３】
ブラケットの支柱挿通孔及びアンカー挿通孔が押出し成形されたものであり、それらの正確な寸法精度を確保しつつ効率よく製造することが可能である。更に、支柱挿通孔及びアンカー挿通孔が押出し方向に亘り一体であるため、それらの間に亀裂が生じる等の心配は構造的に極めて少ない。
【００１４】
本願第４請求項に記載した発明は、請求項１において、前記ブラケットは、ブラケット本体及び膨出部が一体形成されている手摺支柱取付け装置である。
【００１５】
前記請求項に記載した押出し成形のほか、例えば鋳物により、ブラケットを一体形成することもできる。
【００１６】
本願第５請求項に記載した発明は、請求項１において、前記ブラケットに、前記下端部材を装着した構成の手摺支柱取付け装置である。
【００１７】
すなわち、ブラケットと下端部材は別部材で構成することができるものである。
【００１８】
本願第６請求項に記載した発明は、請求項５において、前記ブラケットの下面に雌ねじ部を設ける一方、前記下端部材には雄ねじ部品を挿通する通孔を設け、この通孔から雄ねじ部品を挿通して、前記下端部材を前記ブラケットに螺着した構成の手摺支柱取付け装置である。
【００１９】
ブラケットと下端部材が別部材の場合は、このような螺着構造により、下端部材をブラケットに簡単に装着することができる。また、ブラケット及び下端部材は、螺着により正確且つ堅固に支持される。
【００２０】
本願第７請求項に記載した発明は、請求項６において、前記下端部材には、前記膨出部の前記アンカー挿通孔に対応するアンカー挿通孔が設けられている構成の手摺支柱取付け装置である。
【００２１】
ブラケットと下端部材が別部材の場合は、下端部材にもアンカー挿通孔が必要であるところ、このアンカー挿通孔は、アンカーを挿通するため、前記膨出部の前記アンカー挿通孔に対応して設けられるものである。
【００２２】
本願第８請求項に記載した発明は、請求項１において、前記ブラケットと前記下端部材を一体形成した構成の手摺支柱取付け装置である。
【００２３】
前記請求項のブラケットと下端部材が別部材のほかに、ブラケットと下端部材を一体形成することも可能である。
【００２４】
本願第９請求項に記載した発明は、請求項８において、前記下端部材の下面に、前記台座の受け面と合致する曲面状の座面が設けられている構成の手摺支柱取付け装置である。
【００２５】
このように、ブラケットと下端部材を一体形成した場合は、下端部材の下面に、台座の受け面と合致する曲面状の座面が設けられる。
【００２６】
【発明の実施の形態】
以下に、本発明の具体例を図面に基いて詳細に説明する。図１乃至図３に示す手摺支柱取付け装置１は、手摺の支柱１００をコンクリート躯体２００に支持する装置であり、支柱１００を保持するブラケット３００と、コンクリート躯体２００に設けられた複数のアンカー２１０とを備え、ブラケット３００を複数のアンカー２１０に固定してなるものである。
【００２７】
ブラケット３００は、支柱１００を挿通する支柱挿通孔３１０を有するブラケット本体３００Ａと、各アンカー２１０をそれぞれ挿通する複数のアンカー挿通孔３２０を有する膨出部３００Ｂとを備え、本例の場合、押出し成形されたアルミ合金製の押出し部材からなるものである。
【００２８】
尚、ブラケット３００は、アルミ合金製の押出し部材のほか、アルミ製鋳物やアルミダイキャスト等、適宜に形成することができる。
【００２９】
本例では、ブラケット３００は、ブラケット本体３００Ａの上端面３００ａと前記膨出部３００Ｂの上端面３００ｂが面一に設けられている。
【００３０】
ブラケット３００が例えば押出し部材で形成される場合は、所定の間隔で部材を切断することにより、ブラケット本体３００Ａの上端面３００ａと膨出部３００Ｂの上端面３００ｂを面一に設けることができる。これにより、ブラケットの形成を簡易且つ確実に行うことができる。
【００３１】
尚、このような構成に限らず、例えば、ブラケット本体３００Ａの上端面３００ａに対し膨出部３００Ｂの上端面３００ｂを段差面に設けてもよい。すなわち、鋳造やその他の製造で切削を施して、適宜高さのブラケット本体及び膨出部を形成することもできる。
【００３２】
更に、コンクリート躯体２００には、曲面状の受け面４１０を有する台座４００を設けるとともに、ブラケット３００の下端には、台座４００の受け面４１０と合致する曲面状の座面５１０を有する下端部材５００を装着している。下端部材５００は、ねじ止めによりブラケット３００の下端に装着されている。また、台座４００及び下端部材５００には、アンカー２１０をそれぞれ挿通する複数のアンカー挿通孔４２０，５２０が設けられている。
【００３３】
台座４００の下面の両側には、一対の突状４０１，４０１が形成されている。
【００３４】
コンクリート躯体の上面に凹凸がある場合、台座４００の下面がフラット面のときはコンクリート躯体の凹凸により台座が不安定となるが、台座にこのような突条４０１，４０１があれば、台座に対するコンクリート躯体の凹凸の影響を少なくすることができる。
【００３５】
支柱１００は、台座４００の受け面４１０に対する下端部材５００の座面５１０の位相をずらすことにより、その傾斜角度が調整される。更に、台座４００の受け面４１０及び下端部材５００の座面５１０には、互いに嵌合し且つ段階的に位相をずらすことが可能な凹凸部４１１，５１１が設けられており、支柱１００は、その傾斜角度を段階的に調整し、一定の角度で確実に静止させることが可能となっている。
【００３６】
また、ブラケット３００の膨出部３００Ｂの上端面３００ｂからアンカー２１０が突出し、このアンカー２１０にナットＮを螺着して、コンクリート躯体２００との間でブラケット３００、下端部材５００及び台座４００を圧着している。
【００３７】
膨出部３００Ｂの上端面３００ｂからアンカー２１０が突出し、このアンカーにナットを螺着して、コンクリート躯体２００との間でブラケット、下端部材及び台座を圧着することにより、ブラケット等のアセンブリーはアンカーに従ってコンクリート躯体に確実に固着されることになる。そして、アンカーは膨出部の上端においてナット止めされるので、ブラケットに対する支柱の固着と別途個別に行うことができることになる。
【００３８】
支柱の取付け方法は、以下の通りである。先ず、コンクリート躯体２００に複数のアンカー２１０を設け、これに台座４００を配置する。台座４００のアンカー挿通孔４２０には、アンカー２１０を挿通する。次に、下端部材５００を装着したブラケット３００を配置する。つまり、下端部材５００の座面５１０を台座４００の受け面４１０に載置する。ブラケット３００のアンカー挿通孔３２０及び下端部材５００のアンカー挿通孔５２０には、アンカー２１０を挿通する。そして、ブラケット３００の支柱挿通孔３１０に支柱１００を挿通し、ブラケット３００及び支柱１００をねじ止めする。その後、台座４００の受け面４１０に対する下端部材５００の座面５１０の位相をずらすことにより、支柱１００の傾斜角度が垂直となるように調整し、アンカー２１０にナットＮを螺合してブラケット３００を完全に固定する。図中のＷは、ブラケット３００とナットＮとの間に介在したワッシャである。
【００３９】
アンカー２１０は、ナットＮを螺合する雄ねじが形成されたアンカーボルトである。各アンカー２１０はそれぞれ、その下端部をコンクリート躯体２００の要所に穿孔された孔部にさし込まれるとともに、孔部との隙間に硬化性の充填材料を充填することにより、その上端部をコンクリート躯体２００から鉛直に突出する状態に設けられている。
【００４０】
尚、本例のコンクリート躯体２００は、一定幅の細長いものであり、複数のアンカー２１０は、コンクリート躯体２００の長手方向に亘って設けられている。更に、これらのアンカー２１０は、それぞれコンクリート躯体２００の幅方向のほぼ中央に位置する。このような構成によると、ブラケット３００は複数のアンカー２１０にて堅固に固定することができる。また、コンクリート躯体２００の幅方向側面とアンカー２１０との間には十分な間隔を設定することができ、アンカー２１０の固設強度も満足に確保される。すなわち、ブラケット３００は、適宜間隔で設けられた複数のアンカー２１０にて固定するのが望ましい。また、支柱１００の支持強度を十分に確保するには、アンカー２１０の位置がコンクリート躯体２００の縁部から中央側にある程度寄っている必要がある。但し、細長いコンクリート躯体２００の幅方向に亘って複数のアンカー２１０を設けると、コンクリート躯体２００の縁部とアンカー２１０との間隔はやや狭くなる場合がある。結論としては、このような場合は、コンクリート躯体２００の長手方向に亘って複数のアンカー２１０を設けるとよい。特に、コンクリート躯体２００は、構築後は老朽化が進むため、コンクリート躯体２００の幅方向に亘って複数のアンカー２１０が設けられた手摺を改修する際には、コンクリート躯体２００の縁部とアンカー２１０との間隔は、当初のものより広く設定することが望ましい。ついては、コンクリート躯体２００の長手方向に亘って複数のアンカー２１０を設ける本例の構成は、こうした手摺を改修する際において、極めて有効である。
【００４１】
また、本例においては、アンカー２１０に螺合されたナットＮは、外部に露出されてはいるものの、手摺の下桟（図示は省略）の真下に位置するので、美観を著しく損う心配はない。
【００４２】
本例のブラケット３００は、前述したように支柱挿通孔３１０及び複数のアンカー挿通孔３２０が押出し成形された押出し部材からなるものであり、その側面には、アンカー挿通孔３２０を通過せずに支柱挿通孔３１０に達する複数の通孔３０１を穿孔している。支柱１００は、各通孔３０１から支柱挿通孔３１０に達する複数の雄ねじ部品Ｂ１にてブラケット３００にねじ止めされている。支柱１００の要所には、各雄ねじ部品Ｂ１をそれぞれ螺合する複数の雌ねじ部１０１が形成されている。
【００４３】
特に、支柱１００の取付け方法としては、（１）ブラケット３００及び支柱１００をねじ止めした後にブラケット３００をコンクリート躯体２００に固定する方法と、（２）ブラケット３００をコンクリート躯体２００に固定した後にブラケット３００及び支柱１００をねじ止めする方法が考えられる。ここで、仮に通孔３０１がアンカー挿通孔３２０を通過して支柱挿通孔３１０に達する場合は、（２）の方法においては、アンカー挿通孔３２０に挿通されたアンカー２１０が邪魔になるため、通孔３０１には雄ねじ部品Ｂ１を挿通し得ないという不便が生じる。図４には、通孔３０１がアンカー挿通孔３２０を通過して支柱挿通孔３１０に達する場合を例示する。
【００４４】
すなわち、この図４に示すものは、ブラケット３００の膨出部３００Ｂから雄ねじ部品Ｂ１を挿通して、ブラケット本体３００Ａと支柱１００とを螺着するものである。つまり、支柱１００の下部には雌ねじ部１０１を設ける一方、ブラケット３００の膨出部３００Ｂ及びブラケット本体３００Ａには雄ねじ部品Ｂ１を挿通する通孔３０３，３２０を設け、この通孔から雄ねじ部品Ｂ１を挿通して、前記ブラケット本体と支柱とを螺着している。
【００４５】
このように、図４に示すものの場合、雄ねじ部品Ｂ１の頭部は、アンカー挿通孔３２０の内部にもたらされる。つまり、図１乃至図３に示す本例のブラケット３００は、通孔３０１がアンカー挿通孔３２０を通過せずに支柱挿通孔３１０に達するものであり、支柱１００の取付け方法について、（１）及び（２）の方法が適宜に選択可能であるという利点があり、本例においては、施工調整の便宜を考慮して、（２）の方法を採用している。
【００４６】
また、ブラケット３００の通孔３０１及び支柱１００の雌ねじ部１０１は、建物側に面しており、雄ねじ部品Ｂ１を螺合する作業は、建物の側から行われる。但し、建物側において雄ねじ部品Ｂ１を目立たなくする点では、建物に面したブラケット３００の側面に通孔３０１及び雌ねじ部１０１を設け、建物の側から雄ねじ部品を螺入するように構成してもよい。また、建物側及び外側の双方から雄ねじ部品Ｂ１を螺入するように構成すれば、支柱１００の支持強度を一層向上することも可能である。更に、ブラケット３００と支柱１００とのねじ止めについては、支柱１００の雌ねじ部１０１を雄ねじ部品Ｂ１の径よりもやや小さな小孔とし、これに雄ねじ部品Ｂ１を強制的に螺入するように構成してもよい。或いは、ブラケット３００及び支柱１００を貫通する雄ねじ部品を用いて、その雄ねじ部品にナットを螺合するように構成してもよい。
【００４７】
本例の台座４００は、アルミ合金製の押出し部材にアンカー挿通孔４２０を穿孔してなるものである。その受け面４１０は、上部に向って湾曲した所定の極率を有する円筒面状の部位である。コンクリート躯体２００に対しては、その円筒の高さ方向がコンクリート躯体２００の長手方向と平行となる状態で配置されている。受け面４１０の凹凸部４１１は、その円筒の高さ方向と平行に形成された複数の断面Ｖ字形状の溝又は突条である。
【００４８】
更に、本例の下端部材５００は、アルミ合金製の押出し部材にアンカー挿通孔５２０を穿孔してなるものである。その座面５１０は、台座４００の受け面４１０と合致するものであり、上部に向って湾曲した円筒面状の部位である。コンクリート躯体２００に対しては、台座４００と同様に、その円筒の高さ方向がコンクリート躯体２００の長手方向と平行となる状態で配置されている。座面５１０の凹凸部５１１は、その円筒の高さ方向と平行に形成された複数の断面Ｖ字形状の突条又は溝である。また、下端部材５００の要所には複数の通孔５０１を穿孔しており、下端部材５００とブラケット３００とは、各通孔５０１にそれぞれ挿通された複数の雄ねじ部品Ｂ２にてねじ止めされる。ブラケット３００の要所には、かかる雄ねじ部品Ｂ２を螺合する雌ねじ部３０２が設けられている。
【００４９】
支柱１００の傾斜角度は、台座４００の受け面４１０及び下端部材５００の座面５１０における凹凸部４１１，５１１の位相を段階的にずらすことによって調整される。凹凸部４１１，５１１の位相を段階的にずらすことによれば、支柱１００はコンクリート躯体２００の幅方向に起倒する。
【００５０】
尚、ブラケット３００、台座４００、及び下端部材５００におけるアンカー挿通孔３２０，４２０，５２０は、アンカー２１０に対して十分なクリアランスを有し、且つそれらの断面形状は、コンクリート躯体２００の長手方向に長径を揃えた長丸を呈する。つまり、ブラケット３００、台座４００、及び下端部材５００は、コンクリート躯体２００の長手方向に対してもある程度の位置決め調整がなされる構成となっている。
【００５１】
このように本例の手摺支柱取付け装置１は、押出し部材からなる優れたブラケット３００を用いるとともに、支柱１００の傾斜角度を調整可能に構成してなるものであり、バルコニーやベランダ等に設置される手摺の支柱１００を支持する装置として極めて好適に利用することができる。
【００５２】
尚、上記具体例では、ブラケット３００と下端部材５００が別部材の場合を例に採って説明したが、前記ブラケットと前記下端部材を一体形成してもよい。この場合は、上部に向って湾曲した所定の極率を有する円筒面状の部位である座面５１０が、ブラケット３００と一体形成された下端部材５００の下面に設けられている。このように構成するものは、例えば鋳物で一体に形成したり、適宜の金属部材を切削等で所定形状に形成することにより、所望のブラケット構造体を得ることができるものである。
【００５３】
【発明の効果】
以上説明したように、本発明は、手摺の支柱をコンクリート躯体に支持する装置であり、前記支柱を保持するブラケットと、前記コンクリート躯体に設けられたアンカーとを備え、前記ブラケットを前記アンカーに固定してなる手摺支柱取付け装置において、前記ブラケットは、前記支柱を挿通する支柱挿通孔を形成したブラケット本体と、前記アンカーを挿通するアンカー挿通孔を形成した膨出部とを備え、前記コンクリート躯体には、曲面状の受け面を有する台座を設けるとともに、前記ブラケットの下端には、前記台座の受け面と合致する曲面状の座面を有する下端部材を設け、前記支柱は、前記台座の受け面に対する前記下端部材の座面の位相をずらすことにより、その傾斜角度が調整される構成の手摺支柱取付け装置である。
【００５４】
このように構成される本発明によれば、部品点数を少なくできる一方で、取付け構造を確実にすることができるので、従来のものよりもより一層合理的に構成された手摺支柱取付け装置を得ることができるものである。
【図面の簡単な説明】
【図１】本発明の具体例に係り、手摺支柱取付け装置を示す正面左上の斜視図である。
【図２】本発明の具体例に係り、手摺支柱取付け装置を示す正面左上の分解斜視図である。
【図３】本発明の具体例に係り、（ａ）はブラケット及び下端部材を示す正面左下の斜視図であり、（ｂ）はブラケット及び下端部材を示す正面左下の分解斜視図である。
【図４】本発明の他の具体例に係り、手摺支柱取付け装置を示す正面左上の分解斜視図である。
【符号の説明】
１      手摺支柱取付け装置
１００      支柱
１０１      雌ねじ部
２００      コンクリート躯体
２１０      アンカー
３００      ブラケット
３００Ａ    ブラケット本体
３００ａ    ブラケット本体の上端面
３００Ｂ    ブラケット膨出部
３００ｂ    ブラケット膨出部の上端面
３０１      通孔
３０２      雌ねじ部
３０３      通孔
３１０      支柱挿通孔
３２０      アンカー挿通孔
４００      台座
４０１      突状
４１０      受け面
４１１      凹凸部
４２０      アンカー挿通孔
５００      下端部材
５０１      通孔
５１０      座面
５１１      凹凸部
５２０      アンカー挿通孔
Ｂ１      雄ねじ部品
Ｂ２      雄ねじ部品
Ｎ      ナット
Ｗ      ワッシャ
【図１】
2005048392.tif 000003
【図２】
2005048392.tif 000004
【図３】
2005048392.tif 000005
【図４】
2005048392.tif 000006